(57)【要約】【課題】生ごみ処理機において、熱効率を向上させ、安全で使い勝手のよい生ごみ処理機を提供すること。【解決手段】生ごみを収納する生ごみ収納容器２と、加熱部８と冷却部１２を有するヒートポンプ機構７とを備え、前記加熱部８を用いて生ごみ収納容器内の生ごみを加熱すると共に、前記冷却部１２を用いて生ごみから発生した蒸気を冷却する構成とした。これにより、加熱部８の逆側の冷却部で発生した冷却効果を本体等の冷却に活用することができ、熱のロスが少なく熱効率が向上し、また断熱構成や冷却機構も簡素化できる安全で使い勝手のよい生ごみ処理機を提供できる。【選択図】図１
2007203202.tif 000002
【特許請求の範囲】
【請求項１】
生ごみを収納する生ごみ収納容器と、加熱部と冷却部を有するヒートポンプ機構とを備え、前記加熱部を用いて生ごみ収納容器内の生ごみを加熱すると共に、前記冷却部を用いて生ごみから発生した蒸気を冷却する構成とした生ごみ処理機。
【請求項２】
生ごみから発生した蒸気を脱臭する加熱式の脱臭装置を備え、前記脱臭装置からの排気を、ヒートポンプ機構の冷却部で冷却する構成とした請求項１に記載の生ごみ処理機。
【請求項３】
生ごみから発生した蒸気を脱臭する加熱式の脱臭装置を備え、前記加熱式の脱臭装置を、ヒートポンプ機構の加熱部を用いて加熱する構成とした請求項１または２に記載の生ごみ処理機。
【発明の詳細な説明】
【技術分野】
【０００１】
本発明は、台所等で出る生ごみを処理する生ごみ処理機に関するものである。
【背景技術】
【０００２】
従来の生ごみ処理機を図８、図９を用いて説明する。
【０００３】
図８、図９に示されるように、生ごみ処理機本体１は、着脱自在で生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。駆動手段４及び後に説明する電気負荷の全ては、生ごみ処理機の後段に設けた制御手段２０によってコントロールされている。生ごみ収納容器２の上部に生ごみを加熱する加熱手段６が配してあり、加熱手段６は乾燥用ヒータ２１及び、遠心ファン２２から構成され、熱風を生ごみに当てて生ごみの表面を加熱する。遠心ファン２２は蓋ベース面２３に取付けられた乾燥モーター２４により回転駆動され、乾燥モーター２４は上方に蓋２５内部の冷却と乾燥モーター２４の冷却を兼ね上方から下方への空気の流れを作る小型のプロペラファン２６も回転駆動している。また、プロペラファン２６の周囲には上方の吸気側と下方の排気側を仕切るリング状のフランジを持つ冷却風吸引カバー２７が設けられており、その吸気側は蓋ベース面２３に固定して装着され蓋の外殻を形成する蓋カバー２８とで蓋１８前方の開口部に連通するトンネルを形成している。また、生ごみ収納容器２の上方には吸気口２９が設けられており、この吸気口２９は生ごみ収納容器２を介して排気パイプ３０を通じて脱臭装置１３に接続されている。これら生ごみ収納容器２の上方の加熱手段６や、吸気口２９や排気パイプ３０は、蓋ベース面２３に取付けられており、蓋ベース面２３は蓋カバー２８に覆われており閉時に生ごみ収納容器２を密閉する。脱臭装置１３は、加熱されて臭気を脱臭する触媒１５と、触媒１５を加熱する触媒加熱ヒーター１６より構成されている。脱臭装置１３の後段は、駆動手段４の下方に備えた吸引装置１４を経て、排気減速部３１を介し排気口３２より外部へ排出される。
【０００４】
吸引装置１４は、ターボファン３３、ターボファン３３の吸気口面に設けられ、本体１内を冷却するためのシロッコファン３４、ターボファン３３を囲む排気ファンケース３５、ターボファン３３を駆動させる排気モーター３６、ターボファン３３と近接させることによって、ターボファン３３の吸引圧と吸引風量を発生させるファンガイド３７から構成されており、ファンガイド３７は、脱臭装置１３の下流側に連通している。
【０００５】
また、吸引装置１４は、ターボファン３３の回転方向が本体１の接地面に対して垂直になる向きに取り付けられており、駆動手段４の下方に配置されている。また生ごみ収納容器２の高さは、生ごみ投入時や生ごみ収納容器２の着脱時に中腰になることない高さに設定している。
【０００６】
以上のように構成された生ごみ処理機について、以下その動作、作用を説明する。
【０００７】
蓋を開け生ごみ収納容器２に生ごみを投入し、蓋を閉めスイッチを入れ本体１の運転を開始させると、乾燥用ヒータ２１で加熱された空気が遠心ファン２２によって生ごみ収納容器２内に送り出され、生ごみを加熱する。加熱された生ごみより発生した蒸気は、吸引装置１４であるターボファン３３によって吸引されることにより、排気パイプ３０を介して脱臭装置１３に至る。同時に吸気口２９より外気が生ごみ収納容器２内に流入する。
【０００８】
そして脱臭装置１３の加熱手段である触媒加熱ヒーター１６が作動し、触媒１５が加熱され、生ごみ収納容器２内の臭気を含む空気を脱臭した後、冷却用のシロッコファン３４によって室温程度の温度まで冷却して、排気減速部３１にて流速をおとし、排気音を低減させた後、排気口３２より本体１の外部に排出される。同時に生ごみは、駆動手段４によって回転する攪拌刃３により、攪拌・粉砕されながら乾燥され、乾燥終了後は、減量・細分化される。
【０００９】
また、蓋カバー２８内部と乾燥モーター２４は、プロペラファン２６の作用で蓋前方の開口部より冷却風吸引カバー２７と蓋カバー２８で構成されたトンネルを介して吸引された外気によって効率よく冷却される（例えば、特許文献１参照）。
【特許文献１】特開２００４−０２７６４３号公報
【発明の開示】
【発明が解決しようとする課題】
【００１０】
しかしながら上記のような従来の構成は、生ごみを加熱するためと脱臭装置にヒーターを用いており、短時間で生ごみを乾燥し且つ多量の蒸気を脱臭しているので、ヒーターを高温に設定している。このように高温加熱部が存在する一方で、安全性を保つ為に排気風や使用者が触れる本体の外郭を冷却する必要があり、加熱と冷却の相反する機能を両立させなければならず、断熱材や冷却ファンの多様など、複雑且つ高価な構成となっている。
【００１１】
本発明は上記課題を解決するもので、熱効率を見直すことによって、熱効率がよくより安全で使い勝手のよい生ごみ処理機を廉価にて提供することを目的とする。
【課題を解決するための手段】
【００１２】
上記課題を解決するために本発明は、加熱部と冷却部を有するヒートポンプ機構を備え、前記加熱部を用いて生ごみ収納容器内の生ごみを加熱すると共に、前記冷却部を用いて生ごみから発生した蒸気を冷却する構成の生ごみ処理機とした。
【発明の効果】
【００１３】
本発明によれば、加熱のために集められた熱の逆側で発生した冷却効果を、本体等の冷却に活用する事ができるので熱のロスが少なく、断熱構成や冷却機構も簡素化できる生ごみ処理機を提供できる。
【発明を実施するための最良の形態】
【００１４】
第１の発明は、生ごみを収納する生ごみ収納容器と、加熱部と冷却部を有するヒートポンプ機構とを備え、前記加熱部を用いて生ごみ収納容器内の生ごみを加熱すると共に、前記冷却部を用いて生ごみから発生した蒸気を冷却する構成としたので、加熱の為に集められた熱の逆側で発生した冷却効果を、本体等の冷却に活用する事ができるので熱のロスが少なく、断熱構成や冷却機構も簡素化できる生ごみ処理機を提供できる。また、生ごみ乾燥時に発生する蒸気の膨大な熱容量を減少することができ、本体や排気の冷却構成を簡素化できる生ごみ処理機を提供できる。
【００１５】
第２の発明は、第１の発明に加えて、生ごみから発生した蒸気を脱臭する加熱式の脱臭装置を備え、前記脱臭装置からの排気を、ヒートポンプ機構の冷却部で冷却する構成としたので、加熱して脱臭された蒸気を含んだ排気の温度を下げることができ、排気冷却の為の冷却構成を簡素化できる安全且つ熱効率のよい生ごみ処理機を提供できる。
【００１６】
第３の発明は、第１または第２の発明に加えて、生ごみから発生した蒸気を脱臭する加熱式の脱臭装置を備え、前記加熱式の脱臭装置を、ヒートポンプ機構の加熱部を用いて加熱する構成としたので、脱臭装置の加熱の為に集められた熱の逆側で発生した冷却効果を、本体の冷却や排気の冷却等に活用する事ができるので、本体や排気冷却の為の冷却構成を簡素化できる安全且つ熱効率のよい生ごみ処理機を提供できる。
【００１７】
（実施の形態１）
図１は、本発明の第１の実施の形態における生ごみ処理機の側断面図、図２は同、生ごみ処理機の別な例の側断面図である。
【００１８】
図１に示されるように、生ごみ処理機本体１は、着脱自在で生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。生ごみ収納容器２上部には加熱手段６としてヒートポンプ機構７の加熱部８と送風ファン９が配してある。ヒートポンプ機構７は加熱部８の他にコンプレッサー１０と減圧部１１と冷却部１２から成っており、冷却部１２には凝縮水を溜めるドレンタンク５が接続されている。また生ごみ収納容器２の後段は脱臭装置１３を介して吸引装置１４に接続されている。脱臭装置１３は、加熱されて臭気を脱臭する触媒１５と、触媒１５を加熱する触媒加熱ヒーター１６より構成されている。吸引装置１４の後段は、排気口１７より外部へ排出される。また冷却部１２は本体１に配置され、生ごみ収納容器２や脱臭装置１３の高温部による本体１内部の温度上昇を抑えている。
【００１９】
以上のように構成された生ごみ処理機について、以下その動作、作用を説明する。
【００２０】
スイッチを入れ本体１の運転を開始させると、送風ファン９とヒートポンプ機構７のコンプレッサー１０が作動し、加熱された空気が生ごみ収納容器２内に送り出され、生ごみを加熱し始める。加熱されて生ごみより発生した蒸気は減圧部１１を経て冷却部１２にて除湿され再びコンプレッサー１１で加圧され加熱される。この際、加熱された空気は除湿された乾燥した空気なので、生ごみ収納容器２内の蒸気は飽和することなく、効率よく蒸発を促進する。また乾燥した空気を送り込むことで蒸発を推進できるので、従来のような１００℃以上のまで温度を上げずに７０℃程度の空気で生ごみを乾燥できる。よって断熱構造や冷却構成も簡素化できる。また生ごみ収納容器２内の蒸気は、送風ファン９によって循環を繰り返すが、一部は吸引装置１４により、脱臭装置１３に流入する。
【００２１】
そして脱臭装置１３に流入した蒸気は触媒加熱ヒーター１６により加熱された触媒１５で脱臭した後、排気口１７より本体１の外に排出される。
【００２２】
また生ごみは、駆動手段４によって回転する攪拌刃３により、攪拌・粉砕されながら乾燥され、乾燥終了後は、減量・細分化される。
【００２３】
なお、図２のようにヒートポンプ機構７内に生ごみ収納容器２内の空気を流さず間接的に、熱交換しても、熱効率の程度は少なくなるが図１の実施の形態と同様の効果が得られる。
【００２４】
（実施の形態２）
図３は、本発明の第２の実施の形態における生ごみ処理機の側断面図である。以下、上記実施の形態１と同一構成部品については同一符号を付して説明を省略する。
【００２５】
図３において、脱臭装置１３からの排気近傍に冷却部１２を設けた。
【００２６】
以上のように構成された生ごみ処理機について、以下その動作、作用を説明する。
【００２７】
排気の近傍に冷却部１２を設けたので、脱臭時に加熱された蒸気を含んだ排気の温度を下げることができる。
【００２８】
よって排気冷却の為の冷却構成を簡素化でき、且つより安全で使い勝手のよい生ごみ処理機を提供できる。
【００２９】
（実施の形態３）
図４は、本発明の第３の実施の形態における生ごみ処理機の側断面図である。以下、上記実施の形態１、２と同一構成部品については同一符号を付して説明を省略する。
【００３０】
図４において、脱臭装置１３加熱用の触媒加熱ヒーター１６の変わりに、ヒートポンプ機構７の加熱部８を用いた。
【００３１】
以上のように構成された生ごみ処理機について、以下その動作、作用を説明する。
【００３２】
脱臭装置１３加熱と同時に得られる、ヒートポンプ機構７の冷却部１２を、本体の冷却や排気の冷却等に活用する事ができる。
【００３３】
よって本体や排気冷却の為の冷却構成を簡素化できる安全且つ熱効率のよい生ごみ処理機を提供できる。
【００３４】
（実施の形態４）
図５は、本発明の第４の実施の形態における生ごみ処理機の側断面図である。以下、上記実施の形態１〜３と同一構成部品については同一符号を付して説明を省略する。
【００３５】
図５において生ごみから発生した蒸気を、脱臭装置１３の前段でヒートポンプ機構７の冷却部１２で冷却し、一部を凝縮させる。
【００３６】
以上のように構成された生ごみ処理機について、以下その動作、作用を説明する。
【００３７】
脱臭装置１３の前段で凝縮させるので、脱臭の対象となる蒸気量を軽減することができ、脱臭装置１３そのものや脱臭装置１３の加熱手段を簡素化する事ができる。
【００３８】
よって熱ロスが少なく廉価で機能的な生ごみ処理機を提供できる。
【００３９】
（実施の形態５）
図６は、本発明の第５の実施の形態における生ごみ処理機の側断面図である。以下、上記実施の形態１〜４と同一構成部品については同一符号を付して説明を省略する。
【００４０】
図６において生ごみから発生した蒸気を、脱臭装置１３の後段でヒートポンプ機構７の冷却部１２で冷却し、一部を凝縮させる。
【００４１】
以上のように構成された生ごみ処理機について、以下その動作、作用を説明する。
【００４２】
生ごみ乾燥時に発生する蒸気の膨大な熱容量を減少することができ、本体１や排気の冷却構成を簡素化できる。また、凝縮した水も脱臭装置１３にて脱臭された後なので、臭うことがなく容易に廃棄できる。
【００４３】
よって熱効率がよく廉価で機能的な使い勝手のよい生ごみ処理機を提供できる。
【００４４】
（実施の形態６）
図７は、本発明の第６の実施の形態における生ごみ処理機の側断面図である。以下、上記実施の形態１〜５と同一構成部品については同一符号を付して説明を省略する。
【００４５】
図７においてヒートポンプ機構７を生ごみ収納容器２の上方に配した開閉可能な蓋１８に設けた。
【００４６】
以上のように構成された生ごみ処理機について、以下その動作、作用を説明する。
【００４７】
ヒートポンプ機構７を生ごみ収納容器２の上方に配した、開閉可能な蓋１８に設けたので、ヒートポンプ機構７の加熱部８で生ごみ収納容器２内のごみを上方から加熱すると共に、冷却部１２で使用者が最も触れやすい蓋１８の外郭を温度低減することができる配置が可能となる。
【００４８】
よって熱効率がよく機能的な使い勝手のよい生ごみ処理機を提供できる。
【産業上の利用可能性】
【００４９】
以上のように本発明にかかる生ごみ処理機は、安全性や機能性や生ごみを乾燥する性能や使い勝手や省設置面積など従来例の長所を維持しつつ、蓋部より機能部品を取り払い本体に配置する事で構成を簡略化し、廉価な生ごみ処理機を提供できる。
【図面の簡単な説明】
【００５０】
【図１】本発明の第１の実施例の形態の生ごみ処理機の側断面図
【図２】同生ごみ処理機の別な例の側断面図
【図３】本発明の第２の実施の形態の生ごみ処理機の側断面図
【図４】本発明の第３の実施の形態の生ごみ処理機の側断面
【図５】本発明の第４の実施の形態の生ごみ処理機の側断面図
【図６】本発明の第５の実施の形態の生ごみ処理機の側断面図
【図７】本発明の第６の実施の形態の生ごみ処理機の側断面図
【図８】従来の生ごみ処理機の側断面図
【図９】従来の生ごみ処理機の後方断面図
【符号の説明】
【００５１】
１    本体
２    生ごみ収納容器
６    加熱手段
７    ヒートポンプ機構
８    加熱部
１２  冷却部
１３  脱臭装置
１６  触媒加熱ヒーター（脱臭装置の加熱手段）
１８  蓋
【図１】
2007203202.tif 000003
【図２】
2007203202.tif 000004
【図３】
2007203202.tif 000005
【図４】
2007203202.tif 000006
【図５】
2007203202.tif 000007
【図６】
2007203202.tif 000008
【図７】
2007203202.tif 000009
【図８】
2007203202.tif 000010
【図９】
2007203202.tif 000011